(57)【要約】【課題】放熱効率が向上された放熱装置の提供を目的とする。【解決手段】その一面が放熱対象９と接触して該放熱対象９から熱を吸収する接触面３１とされ、該一面の反対側の面が設置面３２とされる底板３と、前記底板３の上に該底板と対面するように設けられている上板４と、中空板状体であって、前記底板３の前記設置面３２に固定されている水平部５１及び、前記水平部５１の端縁から前記上板４の方へ曲がって斜めに延伸し前記上板４に固定されている延伸部５２を有する熱交換ユニット５と、を備えていることを特徴とする放熱装置を提供する。【選択図】図３
0003181322.tif 000002
【実用新案登録請求の範囲】
【請求項１】
その一面が放熱対象と接触して該放熱対象から熱を吸収する接触面とされ、該一面の反対側の面が設置面とされる底板と、
前記底板の上に該底板と隔たって対面するように設けられている上板と、
中空板状体であって、前記底板の前記設置面に固定されている水平部及び、前記水平部の端縁から前記上板の方へ曲がって斜めに延伸し前記上板に固定されている延伸部を有する熱交換ユニットと、を備えていることを特徴とする放熱装置。
【請求項２】
前記熱交換ユニットの前記延伸部は、それぞれの拡張面が前記設置面と直交し、且つ互いに反対側に向かいながら延伸している一対の側面と、前記一対の側面の両端縁により挟まれて前記水平部の端縁から前記上板側へ延伸している第１及び第２の延伸面と、を有しており、
更に、前記底板と平行に前記延伸部から張り出すように前記延伸部に固定されている複数の放熱フィンを有していることを特徴とする請求項１に記載の放熱装置。
【請求項３】
前記第１及び第２の延伸面は、いずれも前記水平部と直交するように前記水平部から延伸している垂直面部と、該垂直面部の延伸先端からさらに斜めに延伸している傾斜面部と、を有しており、
前記第１及び第２の延伸面は、いずれも前記傾斜面部の延伸長さが前記垂直面部の延伸長さより長くなっており、
更に、前記第１及び第２の延伸面の前記水平部に臨む辺の幅は、いずれも前記側面の前記水平部に臨む辺の幅より広くなっていることを特徴とする請求項２に記載の放熱装置。
【請求項４】
前記第１及び第２の延伸面は、いずれも前記水平部と直交するように前記水平部から延伸している垂直面部と、該垂直面部の延伸先端からさらに斜めに延伸している傾斜面部と、を有しており、
前記第１の延伸面は、その前記傾斜面部の延伸長さがその前記垂直面部の延伸長さより長くなっており、
前記第２の延伸面は、その前記垂直面部の延伸長さがその前記傾斜面部の延伸長さより長くなっており、
更に、前記側面の前記水平部に臨む辺の幅は、前記延伸面の前記水平部に臨む辺の幅より広くなっていることを特徴とする請求項２に記載の放熱装置。
【考案の詳細な説明】
【技術分野】
【０００１】
本考案は放熱装置に関し、特に、放熱対象に設置されて該放熱対象の発した熱を吸収して発散させる放熱装置に関する。
【背景技術】
【０００２】
図１及び図２に示されているのは、特許文献１により開示された従来の放熱装置の一例であり、そのうち図１はその斜視図であり、図２はその内部構成が示されている横断面図である。
【０００３】
図１に示されているように、該従来の放熱装置１は、底板１０を放熱対象に設置することによって、該放熱対象から熱を吸収して底板１０の上面に形成されている多数の放熱フィン１１で放熱するものである。
【０００４】
また、図２に図示されているように、底板１０の内部には中空１００が形成されており、この中空１００は複数の冷媒流路１０１が縦横交錯するように構成されている。
【０００５】
底板１０が放熱対象から吸収した熱によって加熱された冷媒は、冷媒流路１０１に沿って対流して流れながら熱を底板１０の上面に形成されている放熱フィン１１に伝え発散させることができる。
【０００６】
しかし、この従来の放熱装置１は、通常決まった流れ方向を有しない冷媒を冷媒流路１０１内で対流させることにより放熱するものであるが、その構成には冷媒が温度の高低に応じて対流できる高度差があまりないため、蒸発した気体の冷媒は気化前の液体冷媒と一緒に冷媒流路１０１内に詰り、冷媒の相転移を放熱に効率的に利用することができない事例が往々にしてあるので、まだ改善する余地がかなり残っている。
【先行技術文献】
【特許文献】
【０００７】
【特許文献１】台湾特許第Ｍ２６１９７２号明細書
【考案の概要】
【考案が解決しようとする課題】
【０００８】
上記問題点に鑑みて、本考案は、放熱対象に設置されて該放熱対象の熱を吸収して発散させる放熱装置であって、その冷媒の相転移が従来より円滑で、放熱効率がより一層向上した放熱装置の提供を目的とする。
【課題を解決するための手段】
【０００９】
上記目的を達成すべく、本考案は、その一面が放熱対象と接触して該放熱対象から熱を吸収する接触面とされ、該一面の反対側の面が設置面とされる底板と、前記底板の上に該底板と隔たって対面するように設けられている上板と、中空板状体であって、前記底板の前記設置面に固定されている水平部及び、前記水平部の端縁から前記上板の方へ曲がって斜めに延伸して先端が前記上板に固定されている延伸部を有する熱交換ユニットと、を備えていることを特徴とする放熱装置を提供する。
【００１０】
上記放熱装置において、前記熱交換ユニットの前記延伸部は、それぞれの拡張面が前記設置面と直交し、且つ互いに反対側に向かいながら延伸している一対の側面と、前記一対の側面の両端縁により挟まれて前記水平部の端縁から前記上板側へ延伸している第１及び第２の延伸面と、を有しており、更に、前記底板と平行に前記延伸部から張り出すように前記延伸部に固定されている複数の放熱フィンを有していることが好ましい。
【００１１】
上記放熱装置において、前記第１及び第２の延伸面は、いずれも前記水平部と直交するように前記水平部から延伸している垂直面部と、該垂直面部の延伸先端からさらに斜めに延伸している傾斜面部と、を有しており、また、前記第１及び第２の延伸面は、いずれも前記傾斜面部の延伸長さが前記垂直面部の延伸長さより長くなっており、更に、前記第１及び第２の延伸面の前記水平部に臨む辺の幅は、いずれも前記側面の前記水平部に臨む辺の幅より広くなるように構成されることができる。
【００１２】
上記放熱装置において、前記第１及び第２の延伸面は、いずれも前記水平部と直交するように前記水平部から延伸している垂直面部と、該垂直面部の延伸先端からさらに斜めに延伸している傾斜面部と、を有しており、また、前記第１の延伸面は、その前記傾斜面部の延伸長さがその前記垂直面部の延伸長さより長くなっており、前記第２の延伸面は、その前記垂直面部の延伸長さがその前記傾斜面部の延伸長さより長くなっており、更に、前記側面の前記水平部に臨む辺の幅は、前記延伸面の前記水平部に臨む辺の幅より広くなるように構成することもできる。
【考案の効果】
【００１３】
上記構成により、本考案は放熱対象から吸収した熱が熱交換ユニットに伝わり、熱交換ユニットの水平部内に貯蔵されている冷媒がその熱によって気化されると、真っ直ぐに上昇するのではなく、水平部の端縁から前記上板の方へ曲がって斜めに延伸して先端が前記上板に固定されている延伸部内に斜めに上昇し、延伸部内で熱交換を行う時間が延長される上、凝結した液体の冷媒が、延伸部内で、斜面がある場合、主に斜面に沿って、上昇している気体の冷媒と干渉し合わずにスムーズに下へ流れ、水平部に戻って再度の吸熱を行うことができるので、放熱効果を高めることができる。
【図面の簡単な説明】
【００１４】
【図１】従来の放熱装置の一例の斜視図である。
【図２】図１における放熱装置の内部構成が示されている横断面図である。
【図３】本考案の第１の好ましい実施形態が示されている斜視図である。
【図４】図３におけるＩＶ―ＩＶ線断面図である。
【図５】本考案の第１の好ましい実施形態における熱交換ユニット５の構成が示されている斜視図である。
【図６】本考案の第２の好ましい実施形態が示されている斜視図である。
【図７】本考案の第２の好ましい実施形態における熱交換ユニット７の構成が示されている斜視図である。
【図８】図６におけるＶＩＩＩ―ＶＩＩＩ線断面図である。
【図９】本考案の第２の好ましい実施形態の変形例が示されている断面図である。
【考案を実施するための形態】
【００１５】
以下では図面を参照しながら、本考案の各好ましい実施形態について詳しく説明する。
【００１６】
図３〜図５には、本考案の第１の好ましい実施形態が示されている。図３は本考案の第１の好ましい実施形態が示されている斜視図であり、図４は本考案の第１の好ましい実施形態が示されている断面図であり、図５は本考案の第１の好ましい実施形態における熱交換ユニット５の構成が示されている斜視図である。
【００１７】
図示のように、本考案の放熱装置は、その一面が放熱対象９と接触して該放熱対象９から熱を吸収する接触面３１とされ、該一面の反対側の面が設置面３２とされる底板３と、底板３の上に該底板３と隔たって対面するように設けられている上板４と、中空板状体であって、底板３の設置面３２に密接するように固定されている水平部５１及び、水平部５１の両端縁から上板４の方へ曲がって斜めに延伸して先端縁が上板４に固定されている２つの延伸部５２を有する熱交換ユニット５と、底板３と平行に延伸部５２から張り出すように延伸部５２に固定されている複数の放熱フィン６と、を備えており、熱交換ユニット５の水平部５１及び延伸部５２の内部空間は互いに連通していると共に、内部空間には冷媒が充填されている。
【００１８】
図示のように、この第１の実施形態における延伸部５２は、第１の延伸部５２１と第２の延伸部５２２との二種類があり、第１の延伸部５２１は、それぞれの拡張面が設置面３２と直交し、且つ互いに反対側で向かい合いながら延伸している一対の側面５２１ａと、一対の側面５２１ａの両端縁により挟まれて前記水平部５１の端縁から前記上板側へ斜めに延伸している第１及び第２の延伸面５２１ｂ、５２１ｃと、を有している。第２の延伸部５２２は、それぞれの拡張面が設置面３２と直交し、且つ互いに反対側で向かい合いながら延伸している一対の側面５２２ａと、一対の側面５２２ａの両端縁により挟まれて前記水平部５１の端縁から前記上板側へ斜めに延伸している第１及び第２の延伸面５２２ｂ、５２２ｃと、を有している。
【００１９】
この第１の実施形態において、第１の延伸部５２１における第１及び第２の延伸面５２１ｂ、５２１ｃは、いずれも、水平部５１の端縁から曲がってすぐ斜めに延伸しており、第２の延伸部５２２における第１及び第２の延伸面５２２ｂ、５２２ｃは、いずれも、水平部５１の端縁から水平部５１と直交する方向に曲がって延伸している垂直面部５２２ｂ１、５２２ｃ１と、垂直面部５２２ｂ１、５２２ｃ１の延伸先端からさらに上板４まで斜めに延伸している傾斜面部５２２ｂ２、５２２ｃ２と、からなっている。この第１の実施形態において、傾斜面部５２２ｂ２、５２２ｃ２は、垂直面部５２２ｂ１、５２２ｃ１より長くなっている。
【００２０】
更に、第１の実施形態において、第１の延伸部５２１と第２の延伸部５２２とがそれぞれ有する第１の延伸面５２１ｂ、５２１ｃ及び第２の延伸面５２２ｂ、５２２ｃの幅、即ちそれぞれが水平部５１に臨む辺の幅は、側面５２１ａ、５２２ａの幅、即ちそれぞれが水平部５１に臨む辺の幅より広くなっている。
【００２１】
図６〜図８には、本考案の第２の好ましい実施形態が示されている。図６は本考案の第２の好ましい実施形態が示されている斜視図であり、図７は本考案の第２の好ましい実施形態における熱交換ユニット７の構成が示されている斜視図であり、図８は本考案の第２の好ましい実施形態が示されている断面図である。この第２の好ましい実施形態と第１の好ましい実施形態との違いは熱交換ユニット７の構成にあり、以下ではこの第２の好ましい実施形態における熱交換ユニット７の構成について詳しく説明する。
【００２２】
本考案の第２の好ましい実施形態における熱交換ユニット７は、底板３の設置面３２に密接するように固定されている水平部７１と、水平部７１の両端縁から上板４の方へ曲がって斜めに延伸して先端が上板４に固定されている２つの延伸部７２と、を有し、複数の放熱フィン６が底板３と平行に延伸部７２から張り出すように延伸部７２に固定されている。
【００２３】
この第２の実施形態において、２つの延伸部７２は水平部７１の両端縁にそれぞれ形成されているが、同じ構成で互いに対称となるようになっている。延伸部７２は、それぞれの拡張面が底板３の設置面３２と直交し、且つ互いに反対側で向かい合いながら上へ延伸している一対の側面７２１と、一対の側面７２１の両端縁により挟まれて水平部７１の端縁から上板４側へ延伸している第１及び第２の延伸面７２２、７２３と、を有している。
【００２４】
第１及び第２の延伸面７２２、７２３は、いずれも水平部７１と直交するように水平部７１から上板４側へ延伸している垂直面部７２２ａ、７２３ａと、該垂直面部７２２ａ、７２３ａの延伸先端からさらに斜めに延伸している傾斜面部７２２ｂ、７２３ｂと、を有している。ここで、第１の延伸面７２２が有する傾斜面部７２２ｂの延伸長さは垂直面部７２２ａの延伸長さより長くなっており、一方、第２の延伸面７２３が有する垂直面部７２３ａの延伸長さは傾斜面部７２３ｂの延伸長さより長くなっている。
【００２５】
更に、一対の側面７２１の幅、即ち、側面７２１が水平部７１に臨む辺の幅は、各延伸面７２２、７２３の幅、即ち各延伸面７２２、７２３が水平部７１に臨む辺の幅より広くなっている。
【００２６】
更に、図９では第２の実施形態の変形例が示されており、図示のように、図９に示されている放熱装置が有する熱交換ユニット７の延伸部７２の第２の延伸面７２３は、垂直面部や傾斜面部を有しておらず、代わりに１つの円弧面として形成されている。
【００２７】
上記のように、本考案における熱交換ユニットの延伸部の構成については特に制限はなく、水平部の端縁から上板の方へ曲がって斜めに延伸し前記上板に固定されていれば、水平部内に貯蔵されている冷媒が底板から吸収した熱によって気化されると、真っ直ぐに上昇するのではなく、水平部の端縁から前記上板の方へ曲がって斜めに延伸して先端が前記上板に固定されている延伸部内に斜めに上昇し、延伸部内で熱交換を行う時間が延長されるので、放熱効果を高めることができる。
【産業上の利用可能性】
【００２８】
上記構成により、本考案は放熱対象から吸収した熱が熱交換ユニットに伝わり、熱交換ユニットの水平部内に貯蔵されている冷媒がその熱によって気化されると、真っ直ぐに上昇するのではなく、水平部の端縁から前記上板の方へ曲がって斜めに延伸して先端が前記上板に固定されている延伸部内に斜めに上昇し、延伸部内で熱交換を行う時間が延長される上、凝結した液体の冷媒が、延伸部内で、斜面がある場合、主に斜面に沿って、上昇している気体の冷媒と干渉し合わずにスムーズに下へ流れ、水平部に戻って再度の吸熱を行うことができるので、放熱効果を高めることができる。
【符号の説明】
【００２９】
３  底板
３１  接触面
３２  設置面
４  上板
５  熱交換ユニット
５１  水平部
５２  延伸部
５２１  第１の延伸部
５２１ａ  側面
５２１ｂ  第１の延伸面
５２１ｃ  第２の延伸面
５２２  第２の延伸部
５２２ａ  側面
５２２ｂ  第１の延伸面
５２２ｂ１、５２２ｃ１  垂直面部
５２２ｂ２、５２２ｃ２  傾斜面部
５２２ｃ  第２の延伸面
６  放熱フィン
７  熱交換ユニット
７１  水平部
７２  延伸部
７２１  側面
７２２  第１の延伸面
７２２ａ、７２３ａ  垂直面部
７２２ｂ、７２３ｂ  傾斜面部
７２３  第２の延伸面
９  放熱対象
【図１】
0003181322.tif 000003
【図２】
0003181322.tif 000004
【図３】
0003181322.tif 000005
【図４】
0003181322.tif 000006
【図５】
0003181322.tif 000007
【図６】
0003181322.tif 000008
【図７】
0003181322.tif 000009
【図８】
0003181322.tif 000010
【図９】
0003181322.tif 000011